(57)【要約】【課題】径が異なる様々な被覆電線に対して小さな圧着量で接続可能な電線接続部を有する端子を提供する。【解決手段】圧着端子１０は、電線接続部３０と、ボックス部２０と、を備える。電線接続部３０は、中空状の部分が形成され、当該中空状の部分の内側に被覆電線５０を圧着可能であり、当該中空状の部分は被覆電線５０が挿入される側の端部から他端に近づくに従って径が徐々に小さくなる。ボックス部２０は、電線接続部３０と連結されており、他の端子に接続される。【選択図】図５
2014164900.tif 000002
【特許請求の範囲】
【請求項１】
中空状の部分が形成され、当該中空状の部分の内側に被覆電線を圧着可能であり、当該中空状の部分は前記被覆電線が挿入される側の端部から他端に近づくに従って径が徐々に小さくなる電線接続部と、
前記電線接続部と連結されており、他の端子に接続される端子接続部と、
を備えることを特徴とする端子。
【請求項２】
請求項１に記載の端子であって、
前記中空状の部分を前記被覆電線の長手方向に垂直な任意の面で切ったときの断面は、それぞれ相似の関係にあることを特徴とする端子。
【請求項３】
請求項２に記載の端子であって、
前記断面が略円形であることを特徴とする端子。
【請求項４】
請求項１から３までの何れか一項に記載の端子であって、
前記電線接続部は、一端が前記被覆電線の挿入口となっており、他端が封止されていることを特徴とする端子。
【請求項５】
請求項１から４までの何れか一項に記載の端子であって、
前記端子の一側の面では、前記電線接続部が平坦であり、
前記中空状の部分は、板材を溶接することで形成されており、当該溶接箇所が前記平坦部分に形成されていることを特徴とする端子。
【請求項６】
導体部及び被覆部を有する被覆電線を端子に挿入して接続することで端子付き電線を製造する方法において、
前記端子は、
中空状の部分が形成され、当該中空状の部分は前記被覆電線が挿入される側の端部から他端に近づくに従って径が徐々に小さくなる電線接続部と、
前記電線接続部と連結されており、他の端子に接続される端子接続部と、
を備え、
前記被覆電線を前記電線接続部の前記中空状の部分に挿入する挿入工程と、
前記被覆電線を前記電線接続部に圧着する圧着工程と、
が含まれることを特徴とする端子付き電線の製造方法。
【請求項７】
請求項６に記載の端子付き電線の製造方法であって、
前記圧着工程では、前記被覆電線の形状又は当該被覆電線の挿入位置に基づいて決定された箇所で圧着を行うことを特徴とする端子付き電線の製造方法。
【発明の詳細な説明】
【技術分野】
【０００１】
本発明は、主要には、被覆電線を取付可能であるとともに、他の端子と接続可能に構成される端子に関する。
【背景技術】
【０００２】
ワイヤハーネスは、自動車の車体に配索され、当該自動車が備える各種電気機器への電力供給、電気機器間の制御信号の通信等に利用される。ワイヤハーネスは、束ねられた複数の被覆電線、及びこれらの被覆電線に接続された端子から構成される。
【０００３】
特許文献１は、端子と被覆電線との接続方法を開示する。特許文献１の端子は、端子本体（端子接続部）と、圧着部（ワイヤバレル、電線接続部）と、を備える。端子本体は、他の端子と接続可能に構成される。圧着部は、圧着により被覆電線の導体部と接続可能に構成される。
【０００４】
特許文献２は、ワイヤハーネスを構成する被覆電線が破損したときに、被覆電線を継ぎ足すため等に用いられる電線接続スリーブを開示する。特許文献２の電線接続スリーブは、両端が開口した円筒状に構成されており、それぞれの開口部に被覆電線の導体部を挿入して圧着することで、被覆電線を接続することができる。
【先行技術文献】
【特許文献】
【０００５】
【特許文献１】特開２０１０−３５８４号公報
【特許文献２】特開２０１０−２７２３０１号公報
【発明の概要】
【発明が解決しようとする課題】
【０００６】
ところで、上記のように被覆電線と電線接続部を圧着により接続する場合、圧着量（押し潰し量）を低減することが好ましい。例えば圧着工具等により端子を押し潰していくと、初めに端子が潰されて被覆電線に接触し、その後に端子と被覆電線がともに潰されていく。ここで、被覆電線に対して必要な圧縮率は決まっているため、後者の圧着量（即ち被覆電線を潰す量）は変更することができない。従って、全体の圧着量を低減するためには、前者の圧着量（即ち端子のみを潰す量）を低減させる必要がある。
【０００７】
圧着量を低減することで、端子の変形量を抑えることができる。これにより、端子の変形による割れを防止するとともに、寸法の不均一さも防止することができる。
【０００８】
しかし、圧着量を低減するためには、例えば被覆電線の径に応じた端子を製造する必要があるため、製造する端子の種類が増大し、製造コストが高くなってしまう。また、多数の端子を製造する場合、端子を種類毎に整理して保管したり、利用する被覆電線に応じて端子を選択したりする必要があるので手間が掛かる。
【０００９】
本発明は以上の事情に鑑みてされたものであり、その主要な目的は、径が異なる様々な被覆電線に対して小さな圧着量で接続可能な電線接続部を有する端子を提供することにある。
【課題を解決するための手段及び効果】
【００１０】
本発明の解決しようとする課題は以上の如くであり、次にこの課題を解決するための手段とその効果を説明する。
【００１１】
本発明の第１の観点によれば、以下の構成の端子が提供される。即ち、この端子は、電線接続部と、端子接続部と、を備える。前記電線接続部は、中空状の部分が形成され、当該中空状の部分の内側に被覆電線を圧着可能であり、当該中空状の部分は前記被覆電線が挿入される側の端部から他端に近づくに従って径が徐々に小さくなる。前記端子接続部は、前記電線接続部と連結されており、他の端子に接続される。
【００１２】
これにより、被覆電線の先端は被覆が除去されているので先端部が細くなっている一方で、本願の電線接続部は奥ほど径が小さいので、圧着時の圧着量を低減することができる。また、被覆電線の挿入量を調整することで、様々な径の被覆電線に対して圧着量を低減しつつ接続することができる。更には、被覆電線の挿入口が大きいので被覆電線の挿入作業を容易にすることができる。
【００１３】
前記の端子においては、前記中空状の部分を前記被覆電線の長手方向に垂直な任意の面で切ったときの断面は、それぞれ相似の関係にあることが好ましい。
【００１４】
これにより、中空状の部分の形状を単純にできるので、圧着を行う際に電線接続部と被覆電線との間に隙間ができにくく、防水性を発揮させることができる。
【００１５】
前記の端子においては、前記断面が略円形であることが好ましい。
【００１６】
これにより、中空状の部分の展開図が扇形の板材となり、この扇形の板材を曲げて端部同士を接続するだけで本願の形状の電線接続部が成形できるので製造が容易となり、端子の製造コストを低減できる。
【００１７】
前記の端子においては、前記電線接続部は、一端が前記被覆電線の挿入口となっており、他端が封止されていることが好ましい。
【００１８】
これにより、電線接続部の上記他端側が封止されているので高い防水性を実現できる。
【００１９】
前記の端子においては、以下の構成とすることが好ましい。即ち、前記端子の一側の面では、前記電線接続部は平坦である。前記中空状の部分は、板材を溶接することで形成されており、当該溶接箇所が前記平坦部分に形成されている。
【００２０】
これにより、平坦な箇所を溶接するだけで中空状の部分を形成できるので、例えばレーザ溶接を行う場合は、レーザの焦点合わせが楽になり（２次元溶接が可能となり）、溶接作業を簡単にすることができる。
【００２１】
本発明の第２の観点によれば、以下の端子付き電線の製造方法が提供される。即ち、この方法は、導体部及び被覆部を有する被覆電線を端子に挿入して接続することで端子付き電線を製造する方法であり、挿入工程と、圧着工程と、を含む。前記挿入工程では、前記被覆電線を前記電線接続部の前記中空状の部分に挿入する。前記圧着工程では、前記被覆電線を前記電線接続部に圧着する。
【００２２】
これにより、被覆電線の挿入口が大きいので被覆電線の挿入作業を容易にすることができる。また、圧着時の潰し量を低減可能である。
【００２３】
前記の端子付き電線の製造方法においては、前記圧着工程では、前記被覆電線の形状又は当該被覆電線の挿入位置に基づいて決定された箇所で圧着を行うことが好ましい。
【００２４】
これにより、例えば被覆電線が太い場合は被覆電線の挿入量が少なくなるので、それに応じた位置で圧着を行うことで、圧着量を低減することができる。
【図面の簡単な説明】
【００２５】
【図１】本発明の一実施形態に係る端子付き電線の構成を示す分解斜視図及び外観斜視図。
【図２】圧着端子の展開図及び金属板から圧着端子を成形する工程を示す図。
【図３】圧着端子に被覆電線を挿入する工程を説明する側面断面図。
【図４】圧着を行って圧着端子と被覆電線とを接続する工程を説明する側面断面図。
【図５】細い被覆電線と太い被覆電線とを圧着端子に挿入したときの様子を比較する側面断面図。
【図６】第１変形例に係る圧着端子の斜視図及び側面断面図。
【図７】第２変形例に係る圧着端子の断面斜視図及び側面断面図。
【発明を実施するための形態】
【００２６】
次に、図面を参照して本発明の実施の形態を説明する。図１は、端子付き電線の構成を示す分解斜視図及び外観斜視図である。図２は、圧着端子の展開図及び金属板から圧着端子を成形する工程を示す図である。
【００２７】
図１に示すように、端子付き電線１は、圧着端子（端子）１０と、被覆電線５０と、から構成されている。
【００２８】
被覆電線５０は、導体部５１と被覆部５２から構成されている。導体部５１は、複数のアルミニウム素線を束ねたものである。なお、導体部５１は導体であればアルミニウム以外の素材（例えば銅）から構成されていても良い。被覆部５２は、樹脂等の絶縁性を有する素材から構成されており、導体部５１の周囲を覆うように配置されている。
【００２９】
圧着端子１０は、表面が錫（Ｓｎ）でメッキされた黄銅等から構成されたメス端子である。なお、圧着端子１０は、導体であれば銅以外の素材（例えばアルミニウム）から構成されていても良い。圧着端子１０は、被覆電線５０の導体部５１と電気的に接続可能であるとともに、図略のオス端子とも電気的に接続可能である。このオス端子には他の電線や電気機器が接続されており、これにより、電気機器に電力又は電気信号を供給することができる。
【００３０】
なお、以下の説明では、図１（ｂ）に示すように、オス端子（他の端子、相手の端子）に接続される側を先端側と称し、被覆電線５０の挿入方向の反対側を基端側と称する。
【００３１】
以下、圧着端子１０について詳細に説明する。圧着端子１０は、打ち抜いた金属板（板材、図２（ａ）を参照）に対して折曲げ、及び溶接等を行うことで成形される。図１に示すように圧着端子１０は、ボックス部（端子接続部）２０と、電線接続部３０と、トランジション部４０と、を備えている。なお、本実施形態では、圧着端子１０の底面（図１の下面）において、ボックス部２０、電線接続部３０及びトランジション部４０が平坦に構成されている。
【００３２】
ボックス部２０は、図２（ａ）に示す金属板のうち符号２０が付された部分を折り曲げて中空の直方体状とした部分である。図３に示すように、ボックス部２０には、当該ボックス部２０の一面である底面部２２を内側に向けて折り曲げることにより、弾性接触片２１が形成されている。
【００３３】
弾性接触片２１は、ボックス部２０の先端側に形成されている。弾性接触片２１は、底面部２２から離れる方向及び近づく方向に弾性変形可能に構成されている。図略のオス端子をボックス部２０に挿入することで、オス端子に押された弾性接触片２１が底面部２２に近づくように変形する。そして、オス端子が奥まで挿入されると弾性接触片２１の変形が戻る。これにより、ボックス部２０とオス端子とが電気的及び機械的に接続される。
【００３４】
電線接続部３０は、トランジション部４０を介してボックス部２０の基端側に接続されている。電線接続部３０は、先端側に進むに連れて径が徐々に細くなる（詳細には径が一様に細くなる）円錐状（中空状）である。従って、本実施形態では、電線接続部３０の中空状の部分を被覆電線５０の長手方向に垂直な面で切ったときの任意の断面は略円形である。
【００３５】
また、電線接続部３０の基端側の端部は、被覆電線５０を挿入可能なように開放されている（開放部３１）。一方で、電線接続部３０の先端側の端部は防水のために封止されている（封止部３２）。
【００３６】
以下、電線接続部３０について詳細に説明する。初めに、成形前の電線接続部３０（金属板）について説明する。上述のように成形した電線接続部３０は円錐状であるので、図２（ａ）に示すように、その展開図は扇形の板材となる。
【００３７】
なお、電線接続部３０は、先端側に進むに連れて径が細くなる形状であれば円錐状に限られず適宜の形状とすることができる。しかし、展開図を単純にしつつ成形を容易にする観点からは円錐状であることが好ましい。
【００３８】
次に、電線接続部３０を成形する処理の一例について説明する。電線接続部３０を成形する際には、初めに、金属板を折り曲げて端面同士を合わせる。なお、本実施形態では、端面同士を合わせた箇所が、圧着端子１０の底面（図１の下側の面）となる。
【００３９】
次に、図２（ｂ）に溶接箇所Ａで示す箇所に溶接を行うことで円錐状の部材を形成する。溶接を行う方法は任意であるが、例えばファイバーレーザで溶接を行うことができる。ここで、上述のように圧着端子１０の底面は平坦であるので、溶接箇所Ａは、高さ方向の調整が不要な２次元溶接となる。従って、安価な機器又は簡単な方法で溶接を行うことができる。
【００４０】
次に、円錐状の部材の先端側を圧縮して潰した後に、図２（ｂ）に溶接箇所Ｂで示す箇所に溶接を行うことで、電線接続部３０の先端側の端部を封止して封止部３２を形成する。
【００４１】
なお、電線接続部３０の成形方法は上記に限られず、例えば初めに金属板を折り曲げて円錐状の部分を作成しつつ（この段階では溶接を行わない）、更に一端（先端側の端部）を潰し、その後にまとめて溶接を行っても良い。この場合、工数を減らすことができるのでコストを低減させることができる。また、溶接方法も任意であり、金属板の端面同士を接触させた状態で溶接を行っても良いし、金属板の端部を重ね合わせた状態で溶接を行っても良い。更には、溶接箇所は底面（図１の下面）でなくても良く、上面側（図１の上面）であっても良い。
【００４２】
以上の処理を行うことにより、電線接続部３０が完成する。上記のように溶接箇所Ａに溶接を行うことで、電線接続部３０の表面からの浸水を防止できる。また、上記のように溶接箇所Ｂに溶接を行って封止部３２を形成することで、電線接続部３０とボックス部２０との間からの浸水を防止することができる。なお、開放部３１からの浸水（被覆電線５０を伝う経路からの浸水）を防止する方法については後述する。
【００４３】
次に、図３及び図４を参照して、端子付き電線１を製造する方法について説明する。図３は、圧着を行って圧着端子１０と被覆電線５０とを接続する工程を説明する側面断面図である。
【００４４】
初めに、上述したように金属板を加工することで、圧着端子１０を成形する。次に、作業者は、被覆電線５０を電線接続部３０に挿入する（図３（ａ）を参照）。なお、図３（ｂ）には、被覆電線５０の挿入後の様子が示されている。
【００４５】
ここで、本実施形態の電線接続部３０は円錐状であるので、開放部３１（被覆電線５０の挿入口）の径が大きくなっている。これにより、被覆電線５０を挿入し易い。また、被覆電線５０が電線接続部３０の縁に当たって導体部５１が曲がってしまうことを防止できる。
【００４６】
更に、電線接続部３０が円錐状であるため、図３に示すように、被覆部５２を電線接続部３０の底面に沿って挿入し、被覆電線５０の先端の導体部５１が電線接続部３０に接触したタイミングで挿入を止めることで、挿入量を適切にすることができる。
【００４７】
次に、作業者は、第１圧着型７１と第２圧着型７２とから構成される圧着工具を操作して、電線接続部３０を挟み込むようにしてカシメて圧着する（図４（ａ）を参照）。第１圧着型７１には、段差が形成されているので、導体部５１だけでなく被覆部５２も強力に圧着することができる。なお、図４（ｂ）には、被覆電線５０を圧着した後の様子が示されている。
【００４８】
ここで、被覆電線５０の先端は導体部５１が露出しているので、被覆電線５０の先端は他に比べて径が小さい。一方、電線接続部３０は円錐状なので、電線接続部３０は先端に近づくほど径が小さくなる。従って、被覆電線５０と電線接続部３０の形状を対応させることができるので、圧着量を低減することができる。圧着量を低減することで、端子の変形量を抑えることができる。また、圧着量を低減することで、端子の変形による割れを防止するとともに、寸法の不均一さも防止することができる。
【００４９】
更に、本実施形態では上述したように導体部５１が電線接続部３０の内面に接触するまで被覆電線５０を挿入する。これにより、導体部５１を奥まで挿入できるので、圧着量を更に低減することができる。
【００５０】
上記の圧着を行って、導体部５１と電線接続部３０を圧着することで、被覆電線５０と電線接続部３０（圧着端子１０）とを電気的に接続することができる。また、被覆部５２と電線接続部３０を圧着して被覆部５２を圧縮することで隙間を無くし、被覆電線５０を伝う経路からの浸水を防止できる。特に、本実施形態では被覆電線５０の断面が円形であるとともに、電線接続部３０の断面も円形である。従って、均一に電線接続部３０を圧着することで、電線接続部３０と被覆電線５０との密着性を高めることができ、被覆電線５０を伝う経路からの浸水をより確実に防止できる。
【００５１】
また、本実施形態では、導体部５１をアルミニウムで構成し、圧着端子１０を銅で構成している。このように電線接続部３０と導体部５１とで異なる金属を用いる場合、電食を発生させないためにも、高い防水性能が要求される。この点、本実施形態では、上述のように溶接箇所Ａ及びＢにより圧着端子１０の表面からの浸水を防止するとともに、被覆部５２を圧縮することで被覆電線５０を伝う経路からの浸水を防止している。このように防水を行う本実施形態の構成は、電線接続部３０とボックス部２０との隙間をモールド樹脂等により塞ぐ構成と比較して、大幅にコストを低減することができる。
【００５２】
次に、図５を参照して、被覆電線５０の太さに対する挿入量及び圧着位置について説明する。図５は、細い被覆電線５０と太い被覆電線５０とを圧着端子１０に挿入したときの様子を比較する側面断面図である。
【００５３】
初めに、電線接続部が円筒状である場合に生じる課題について説明する。即ち、円筒状の部分の内径と被覆電線の外径とが近ければ良いが、円筒状の部分の内径が被覆電線よりも大幅に大きい場合は、圧着量が大きくなってしまう。一方、当然であるが円筒状の部分の内径が被覆電線よりも小さい場合は、被覆電線を電線接続部に挿入できない。従って、径の異なる被覆電線に圧着端子を対応させる場合、円筒状の部分の内径が異なる多数の圧着端子を製造する必要があった。
【００５４】
この点、本実施形態では、電線接続部３０を円錐状にすることで、径の異なる被覆電線５０に対応することができる。以下、具体的に説明する。
【００５５】
図５（ａ）は、比較的細い被覆電線５０を電線接続部３０に挿入したときの様子を示している。この場合において、上述のように導体部５１の先端が電線接続部３０と接触するまで被覆電線５０を挿入すると、被覆電線５０を比較的奥まで挿入することができるので、電線接続部３０の内側から被覆電線５０までの距離があまり大きくならない（圧着量が大きくならない）。
【００５６】
図５（ｂ）は、比較的太い被覆電線５０を電線接続部３０に挿入したときの様子を示している。この場合において、上述のように導体部５１の先端が電線接続部３０と接触するまで被覆電線５０を挿入すると、被覆電線５０を比較的手前までしか挿入することができないが、被覆電線５０が太いので、電線接続部３０の内側から被覆電線５０までの距離があまり大きくならない（圧着量が大きくならない）。
【００５７】
このように、本実施形態では、被覆電線５０の径の大きさに応じて挿入量を異ならせるので、被覆電線５０の径の大きさ又は当該被覆電線５０の挿入量に基づいて決定された箇所で圧着を行うことで、径の異なる多種の被覆電線５０に対応しつつ、圧着量を抑えることができる。
【００５８】
次に、図６を参照して上記実施形態の第１変形例について説明する。図６は、第１変形例に係る圧着端子１０の斜視図及び側面断面図である。
【００５９】
上記実施形態では、電線接続部３０の底面側は、被覆電線５０の挿入方向に平行（平坦状）に構成されている（図３等を参照）。これに対し、第１変形例の電線接続部３０は、上面側及び底面側ともに、被覆電線５０の挿入方向と傾斜するように構成されている。
【００６０】
また、上記実施形態では、封止部３２は電線接続部３０の底面側に位置しているが、第１変形例では、封止部３２は中央（底面と上面の間）に位置している。
【００６１】
このような形状の圧着端子１０は、通常は、電線接続部３０のうち径が細くなっている部分（封止部３２）に力が集中し易い。しかし、第１変形例では、この径が細くなっている部分は金属板が２枚重なっているため十分な強度を有している。
【００６２】
次に、図７を参照して上記実施形態の第２変形例について説明する。図７は、第２変形例に係る圧着端子１０の断面斜視図及び側面断面図である。
【００６３】
上記では、電線接続部３０の内壁面３３には、溝や突起は形成されていない。この点、第２変形例の電線接続部３０の内壁面３３には、導体部５１が圧着される位置に矩形状の複数の溝からなる導通用押圧部３３ａが形成されている。更に、電線接続部３０の内壁面３３には、被覆部５２が圧着される位置に、円弧状の突起からなる防水用圧縮部３３ｂが形成されている。
【００６４】
導通用押圧部３３ａは、電線接続部３０と導体部５１との導通を確保するために形成されている。即ち、導体部５１をアルミニウムで構成した場合、アルミニウムは銅よりも酸化被膜の影響が大きいため、導通性が悪くなることが考えられる。この点、導通用押圧部３３ａの矩形状の溝の縁部等で導体部５１を強く押圧することで、この酸化被膜を破って導通を確保することができる。なお、導通用押圧部３３ａは、矩形状の溝に限られず、その他の形状の溝又は突起であっても良い。
【００６５】
また、本願では被覆電線５０の挿入量が被覆電線５０の径に応じて大きく変化するので、導通用押圧部３３ａは被覆電線５０の長手方向に長く形成されることが好ましい。
【００６６】
防水用圧縮部３３ｂは、開放部３１からの浸水をより確実に防止するために形成されている。防水用圧縮部３３ｂの円弧状の突起で被覆部５２を強く圧縮することで、防水性能を向上させることができる。なお、防水用圧縮部３３ｂは、円弧状の突起に限られず、その他の形状の突起又は溝であっても良い。
【００６７】
また、本願では被覆電線５０の挿入量が被覆電線５０の径に応じて大きく変化するので、防水用圧縮部３３ｂは基端側の端部に近い位置に形成されることが好ましい。
【００６８】
以上に説明したように、上記の圧着端子１０は、電線接続部３０と、ボックス部２０と、を備える。電線接続部３０は、中空状の部分が形成され、当該中空状の部分の内側に被覆電線５０を圧着可能であり、当該中空状の部分は被覆電線５０が挿入される側の端部から他端に近づくに従って径が徐々に小さくなる。ボックス部２０は、電線接続部３０と連結されており、他の端子に接続される。
【００６９】
これにより、被覆電線５０の先端は被覆部５２が除去されているので先端部が他より細くなっており、電線接続部３０は同様に奥ほど径（内径）が小さいので、圧着時の圧着量を低減することができる。また、被覆電線５０の挿入量を調整することで、様々な径の被覆電線５０と接続することができる。更には、被覆電線５０の挿入口が大きいので被覆電線５０の挿入作業を容易にすることができる。
【００７０】
また、上記の圧着端子１０においては、中空状の部分を被覆電線５０の長手方向に垂直な任意の面で切ったときの断面は、それぞれ相似の関係にある。
【００７１】
これにより、中空状の部分の形状を単純にできるので、圧着を行う際に電線接続部と被覆電線との間に隙間ができにくく、防水性を発揮させることができる。
【００７２】
また、上記の圧着端子１０の一側の面では電線接続部３０が平坦であり、中空状の部分は、金属板の端部同士を溶接することで形成されており、当該溶接箇所が平坦部分に形成されている。
【００７３】
これにより、平坦な箇所を溶接するだけで中空状の部分を形成できるので、例えばレーザ溶接を行う場合は、レーザの焦点合わせが楽になり（２次元溶接が可能となり）、溶接作業を簡単にすることができる。
【００７４】
以上に本発明の好適な実施の形態及び変形例を説明したが、上記の構成は例えば以下のように変更することができる。
【００７５】
圧着端子１０の溶接方法及び溶接箇所は、上記で挙げた例以外であっても良い。また、圧着端子１０は、一枚の金属板から形成される構成に限られない。例えば、ボックス部２０と電線接続部３０とを個別に成形し、適宜の接続方法（例えば溶接）により接続することもできる。
【００７６】
上記の電線接続部３０は、封止部３２により片側が封止されているが、両方が開放されている形状であっても良い。また、上記では電線接続部３０は、先端側に近づくに従って一様（変化率が一定）に径が小さくなるが、径が一様に小さくなれば、変化率が上下していても良い。
【００７７】
圧着端子１０は、単線同士（又は単線と電気機器）を接続する端子として利用することができる。また、圧着端子１０は、複数を並べて配置して、ジョイントコネクタの一部とすることができる。
【００７８】
上記では、メス端子の圧着端子１０を例に挙げて説明したが、本願の圧着端子１０をオス端子に適用することもできる。
【００７９】
端子付き電線１は、例えば自動車に設置されるワイヤハーネスへの適用が想定されているが、防水性が要求される様々な箇所のコネクタの一部として用いることができる。
【符号の説明】
【００８０】
１  端子付き電線
１０  圧着端子（端子）
２０  ボックス部（端子接続部）
２１  弾性接触片
３０  電線接続部
３１  開放部
３２  封止部
３３  内壁面
３３ａ  導通用押圧部
３３ｂ  防水用圧縮部
５０  被覆電線
５１  導体部
５２  被覆部
７１  第１圧着型
７２  第２圧着型
【図１】
2014164900.tif 000003
【図２】
2014164900.tif 000004
【図３】
2014164900.tif 000005
【図４】
2014164900.tif 000006
【図５】
2014164900.tif 000007
【図６】
2014164900.tif 000008
【図７】
2014164900.tif 000009